(57)【要約】【課題】装置を使用しないとき回動可能にした支柱をコンパクトに折り畳むことができ、かつ支柱の回動操作が容易で使い勝手の良い資料提示装置を提供すること。【解決手段】基台１１に回動軸３１，３２を介して支柱１２を前後方向へ回動可能に組み付け、支柱の回動領域の全域で回動軸に所要の摩擦負荷を与える摩擦制動機構４５，４７，４８，４９，５０と、支柱を後方へ回動付勢するバネ力を作用させるパワーアシスト機構３３ａ，３８と、支柱の先端に取り付けたビデオカメラヘッド１５を備えた資料提示装置１０において、支柱１２を基台１１から所定の前傾角度で起立する前傾端位置と、基台に沿って後方に倒伏した折り畳み位置との間で回動可能に基台に組み付け、支柱が基台から略直立する直立位置より前傾しているときパワーアシスト機構が支柱に作動連結され、支柱が直立位置より後方向に傾斜しているときパワーアシスト機構と支柱との作動連結が解除される。【選択図】図５
2011234107.tif 000002
【特許請求の範囲】
【請求項１】
基台と、基台に回動軸を介して前後方向へ回動可能に組み付けた支柱と、支柱の回動領域の全域で前記回動軸に所要の摩擦負荷を与える摩擦制動機構と、支柱を後方へ回動付勢するバネ力を作用させるパワーアシスト機構と、支柱の先端に取り付けたビデオカメラヘッドを備え、基台設置面に置かれた資料の上方に前記ビデオカメラヘッドを配置し、ビデオカメラヘッドで資料を撮像するように構成した資料提示装置であって、
支柱を基台から所定の前傾角度で起立する前傾端位置と、基台に沿って後方に倒伏した折り畳み位置との間で回動可能に基台に組み付け、
支柱が基台から略直立する直立位置より前傾しているとき前記パワーアシスト機構が支柱に作動連結され、支柱が前記直立位置より後方向に傾斜しているとき前記パワーアシスト機構と支柱との作動連結が解除されるようにしたことを特徴とする資料撮像装置。
【請求項２】
前記パワーアシスト機構を前記基台に一端を固定したツイストバネと、支柱に形成され、支柱が直立位置より前傾しているとき前記ツイストバネの他端との係合が継続され、支柱が直立位置より後方へ傾斜しているときツイストバネとの係合が解除されるフック片から構成したことを特徴とする請求項１に記載の資料撮像装置。
【請求項３】
前記回動軸の一端に前記ツイストバネを装着するとともに該回動軸の一端を基台に固定した第１軸受プレートで支持し、前記ツイストバネの一端を第１軸受プレートに固定し、前記回動軸の他端を基台に固定した第２軸受プレートで支持し、
回動軸の他端に固定したワッシャ及び回動軸に装着されこのワッシャを第２軸受プレートに圧接する皿バネで前記摩擦制動機構を構成したことを特徴とする請求項２に記載の資料撮像装置。
【請求項４】
前記支柱を直立位置に保持するクリック機構を設けたことを特徴とする請求項１に記載の資料撮像装置。
【発明の詳細な説明】
【技術分野】
【０００１】
本発明は、基台と、基台に立設した支柱と、支柱の先端部に取り付けたビデオカメラヘッドを備え、ビデオカメラヘッドで、基台の設置面に置いた書類や模型等の資料を撮像し、その画像をモニターテレビに出力し、あるいはビデオプロジェクターでスクリーンに投影する資料提示装置に関する。
【背景技術】
【０００２】
この種の資料提示装置の一例として、特開平２００７−１８０７１３号公報には、ブック型の基台と、逆Ｊ字形の支柱及び横長円筒形のビデオカメラヘッドを備えた資料提示装置が開示されている。
支柱はその基端部が基台の前部中央に回動軸を介して前後方向へ回動可能に組み付けられている。この支柱は基台から略直立する直立位置と、基台から前傾して基台設置面に略当接する前傾端位置との間で回動させることができる。
【０００３】
支柱の基端部には支柱の回動領域の全域で回動軸に所要の摩擦制動力を作用させる摩擦制動機構及び支柱に対し後方へ回動付勢するバネ力を作用させるパワーアシスト機構が設けられ、摩擦製動力とバネ力及び支柱に作用する重力が常に拮抗するように設定されている。
【０００４】
この資料提示装置によれば、摩擦制動機構とパワーアシスト機構によって、支柱は回動領域内において任意の前傾位置に設定保持される。また、支柱を直立位置から前傾位置へ回動操作するときも、その逆に前傾位置から直立位置へ戻すときも制動力とバネ力及び重力が拮抗しているので、支柱の回動操作に要する力が軽く、容易に支柱を所望の前傾位置に設定できる。
【先行技術文献】
【特許文献】
【０００５】
【特許文献１】特開２００７−１８０７１３号公報
【発明の概要】
【発明が解決しようとする課題】
【０００６】
上述したように従来の資料提示装置では、支柱の回動領域が直立位置と前傾端位置との間に設定され、支柱を直立位置から後方へ回動させることができない。そのため支柱を基台に沿って後方に倒伏させることができないので、装置を使用しないときでも支柱が基台から直立する直立姿勢か、あるいは基台から前方へ突出する前傾姿勢のいずれかの姿勢にしか設定できない。従って、支柱が基台に沿って倒伏するようなコンパクトな形に折り畳むことができない。
一方、上記した従来の資料提示装置において装置をコンパクトに折り畳むことができるように、支柱の回動領域を前傾端位置と基台から直立する位置の間から、前傾端位置から直立位置を超えて基台に沿って倒伏する倒伏位置までに拡大した場合、前傾端位置から直立位置の間では重力に逆らう方向に作用していたパワーアシスト機構のバネ力が直立位置から倒伏位置の間では重力と同方向に作用する。そのため、装置を折り畳むために前傾位置にある支柱を引き起こす際、直立位置を過ぎると重力とバネ力が同方向に作用して支柱が不意に急速に回動するおそれがある。そのため、支柱の回動操作を慎重に行う必要がある。また、折り畳んだ支柱を引き起こすとき、直立位置までは摩擦制動力とバネ力及び重量の三つの力に抗して支柱を回動操作しなければならず、支柱の回動操作性が甚だ悪くなる。
【０００７】
本発明はかかる問題点に鑑み、支柱を基台から前傾する位置と基台に沿って倒伏する位置との間で回動可能にすることで装置を使用しないときコンパクトに折り畳むことができ、かつ支柱の回動操作が容易で使い勝手の良い資料提示装置を提供することを目的とする。
【課題を解決するための手段】
【０００８】
上記目的を達成するため本願発明は、基台と、基台に回動軸を介して前後方向へ回動可能に組み付けた支柱と、支柱の回動領域の全域で前記回動軸に所要の摩擦負荷を与える摩擦制動機構と、支柱を後方へ回動付勢するバネ力を作用させるパワーアシスト機構と、支柱の先端に取り付けたビデオカメラヘッドを備え、基台設置面に置かれた資料の上方に前記ビデオカメラヘッドを配置し、ビデオカメラヘッドで資料を撮像するように構成した資料提示装置であって、
支柱を基台から所定の前傾角度で起立する前傾端位置と、基台に沿って後方に倒伏した折り畳み位置との間で回動可能に基台に組み付け、
支柱が基台から略直立する直立位置より前傾しているとき前記パワーアシスト機構が支柱に作動連結され、支柱が前記直立位置より後方向に傾斜しているとき前記パワーアシスト機構と支柱との作動連結が解除されるようにしたことを特徴とする。
【０００９】
そして、好ましくは、前記パワーアシスト機構を前記基台に一端を固定したツイストバネと、支柱に形成され、支柱が直立位置より前傾しているとき前記ツイストバネの他端との係合が継続され、支柱が直立位置より後方へ傾斜しているときツイストバネとの係合が解除されるフック片から構成する。
【００１０】
また、好ましくは前記回動軸の一端に前記ツイストバネを装着するとともに該回動軸の一端を基台に固定した第１軸受プレートで支持し、前記ツイストバネの一端を第１軸受プレートに固定し、前記回動軸の他端を基台に固定した第２軸受プレートで支持し、
回動軸の他端に固定したワッシャ及び回動軸に装着されこのワッシャを第２軸受プレートに圧接する皿バネで前記摩擦制動機構を構成する。
【００１１】
さらにまた、前記支柱を直立位置に保持するクリック機構を設ける。
【発明の効果】
【００１２】
本願発明によれば、支柱を基台の後方に回動させて基台に倒伏させることができるので、装置を使用しないときコンパクトに折り畳むことができる。
【００１３】
パワーアシスト機構は支柱が直立位置より前傾しているとき支柱と作動連結される。このため、支柱の前傾領域では摩擦制動機構の摩擦制動力とパワーアシスト機構のバネ力および支柱に作用する重力が拮抗するように設定することによって、支柱を任意の前傾位置に保持でき、かつ支柱の回動操作を円滑に行うことができる。
一方、パワーアシスト機構は支柱が直立位置より後方へ傾斜しているとき支柱との作動連結が解除される。このため、支柱が後方傾斜する回動領域ではパワーアシスト機構のバネ力は支柱に作用しない。従って、支柱には摩擦制動力と重力が作用するだけなので、支柱が直立位置からパワーアシスト機構のバネ力で不意に後方へ急速回動することはない。また、支柱を倒伏位置から直立位置へと起立させるときバネ力に抗して回動操作する必要がないので、起立操作が円滑に行える。
【図面の簡単な説明】
【００１４】
【図１】本発明の一実施例に係る資料提示装置であって、支柱が前傾端位置にあるときの装置の使用状態を示す斜視図である。
【図２】同資料提示装置の折り畳み状態を示す斜視図である。
【図３】同資料提示装置であって、支柱が直立位置にあるときの装置の使用状態を示す斜視図である。
【図４】同資料提示装置の支柱の回動軸部分の構成を示す斜視図である。
【図５】同資料提示装置の支柱の回動軸部分の構成を示す分解斜視図である。
【実施例】
【００１５】
以下に本発明を図面に基づき説明するに、図１〜図３には本発明の一実施例に係る資料提示装置の外観が示されている。
当該資料提示装置１０は基台１１、第１支柱１２、第２支柱１３、第３支柱１４及びビデオカメラヘッド１５から構成されている。
【００１６】
基台１１は平面形状が矩形の箱形を有し、全体として厚手のブック形を備えている。基台１１の上面１１ａには電源スイッチ１６や輝度調整ボタン１７等の各種操作スイッチ類が配列されている。また、基台１１の背面にはテレビモニターやビデオプロジェクターと資料提示装置１０を接続するための各種端子（図示略）が配設されている。基台１１の内部にはビデオカメラヘッド１５のズーミング制御やオートフォーカス制御、輝度制御用の制御回路ユニット及び使用時に基台１１がビデオカメラヘッド１５の重みで倒れるのを防止するための錘が内蔵されている。
【００１７】
第１支柱１２はその基端部が第１回動軸部１８を介して基台１１の側面１１ｂの前部に前後方向へ回動可能に組み付けられている。基台１１の側面１１ｂの前部には第１回動軸部１８が組み付けられる軸受部１９が一体に設けられている。第２支柱１３はその基端部が第２回動軸部２０を介して第１支柱１２の先端部に前後方向へ回動可能に組み付けられている。第３支柱１４はその基端部が第３回動軸部２１を介して第２支柱１３の先端部に前後方向へ回動可能に組み付けられている。ビデオカメラヘッド１５は横長円筒形状を有し、前面にズーミングスイッチ２２とオートフォーカススイッチ２３が配設されている。ビデオカメラヘッド１５の一端は第３支柱１４の先端部に固定され、基台１１の前面１１ｃと略並行に基台１１の横方向に延びている。ビデオカメラ１５の他端には撮像レンズ（図示略）が内蔵されている。第１支柱１２、第２支柱１３及び第３支柱１４の内部には基台１１内の各種制御回路ユニットとビデオカメラヘッド１５とを電気的に接続する配線が挿通されている。
【００１８】
図４及び図５に第１支柱１２の回動軸部１８の内部の構成を図示する。回動軸部１８は、第１支柱１２のカバー１２ａとカバー１２ｂが取り付けられる中空構造の支柱フレーム３０、外側回動軸３１、内側回動軸３２、外側ブラケット３３、内側ブラケット３４、外側軸受プレート３５、内側軸受プレート３６、基台１１の底面に固定されるベースブラケット３７、ツイストバネ３８、クリックバネ３９及びクリックボール４０から構成されている。
【００１９】
外側回動軸３１は外側ブラケット３３にビス４１で固着されている。外側ブラケット３３は支柱フレーム３０の外側側面の下端部にビス４２で固着されている。外側回動軸３１は円形のベースプレート３１ａと、ベースプレート３１ａの中心部から突出する外側軸芯３１ｂと、ベースプレート３１ａから軸芯３１ｂを囲むように突出する２個のガイド片３１ｃを備えている。そして、外側軸芯３１ｂにツイストバネ３８が装着されている。外側軸芯３１ｂの先端部は、ベースブラケット３７にビス４３で固定された外側軸受プレート３５の軸受穴３５ａに挿入されている。このようにして外側回動軸３１が外側軸受プレート３５によって回転可能に支持されている。また、ツイストバネ３８の一端３８ａは外側軸受プレート３５に形成した係止穴３５ｂに挿入されている。ツイストバネ３５の他端３８ｂは一方のガイド片３１ｃに当接し、ガイド片３１ｃの外側に突出している。一方、外側ブラケット３３にはツイストバネ３８の他端３８ｂが係合可能なフック片３３ａが凸設されている。
【００２０】
内側回動軸３２は内側ブラケット３４にビス４４で固着されている。内側ブラケット３４は支柱フレーム３０の内側側面の下端部にビスで固着されている。内側回動軸３２は中空の大径軸部３２ａと大径軸部３２ａの中心部から内側へ突出する小径軸部３２ｂを有する。小径軸部３２ｂは、ベースブラケット３７にビスで固定された内側軸受プレート３６の軸受穴３６ａに挿入されている。このようにして、内側回動軸３２が内側軸受プレート３６によって回転可能に支持されている。
【００２１】
内側回動軸３２の小径軸部３２ｂには第１ワッシャ４５、ストッパリング４６、第１皿バネ４７、第２ワッシャ４８、第２皿バネ４９及びリングプレート５０が順に装着されている。第１ワッシャ４５とストッパリング４６は非円形穴４５ａ，４６ａを有する。この非円形穴４５ａ，４６ａに小径軸部３２ｂを挿通することにより第１ワッシャ４５とストッパリング４６は内側回動軸３２に一体回転するように装着されている。
【００２２】
ストッパリング４６には装着した内側回動軸３２ｂと平行に外側へ延びるストッパ片４６ｂが一体に設けられている。一方、内側軸受プレート３６にはストッパ片４６ｂが当接して内側回動軸３２及びこれと一体に回動する第１支柱１２の回動領域を制限する前側係止部３６ｂと後側係止部３６ｃが形成されている。
【００２３】
第１皿バネ４７、第２ワッシャ４８、第２皿バネ４９はそれぞれ円形穴４７ａ，４８ａ，４９ａを有し、これら円形穴４７ａ，４８ａ，４９ａに内側回動軸３２の小径軸部３２ｂを挿通することにより内側回動軸３２に装着されている。プレート５０は小径軸部３２ｂの先端部にビス５１で固定されている。このプレート５０により、第１ワッシャ４５、第２ワッシャ４８、第１皿バネ４７、第２皿バネ４９及びストッパリング４６が小径軸部３２ｂから抜け止めされている。また、第１皿バネ４７及び第２皿バネ４８によって第１ワッシャ４５が内側軸受プレート３６に所要圧力で押圧されている。
【００２４】
クリックバネ３９とクリックボール４０は内側回動軸３２の大径軸部３２ａに形成した筒穴３２ｃに装着されている。一方、内側軸受プレート３６にはクリックボール４０が嵌合する嵌合孔３６ｄが所定位置に形成されている。
【００２５】
第１回動軸部１８の内部の構成は以上の通りであって、第１支柱１２の支柱フレーム３０が外側回動軸３１と内側回動軸３２を介して基台１１に前後方向へ回動可能に組み付けられている。第１支柱１２の回動領域は内側軸受プレート３６前側係止部３６ｂと後側係止部３６ｃによって制限されている。そして、ストッパ片４６ｂが前側係止部３６ｂに当接することにより第１支柱１２は図１に示す前傾端位置に停止する。ストッパ片４６ｂが後側係止部３６ｃに当接することにより、図２に示す折り畳み位置に停止する。第１支柱１２はこの折り畳み位置にあるとき、基台１１の側面１１ｂに沿って倒伏する。また、図３に示すように、第１支柱１２が基台１１から略直立する位置にあるとき、クリックボール４０が嵌合孔３６ｄに嵌合し、直立位置に設定保持される。
【００２６】
ツイストバネ３８と外側ブラケット３３のフック片３３ａは本願発明におけるパワーアシスト機構を構成し、第１支柱１２が図３に示す直立位置より前傾しているとき、ツイストバネ３８の端部３８ａとフック片３３ａの係合が継続し、ツイストバネ３８によって第１支柱１２は後方へ回動付勢される。一方、第１支柱１２が直立位置より後方に傾斜しているとき、ツイストバネ３８の端部３８ｂとフック片３３ａとの係合は解除されるので、第１支柱１２にはツイストバネ３８の後方への回動不勢力は作用しない。また、フック片３３ａとの係合が解除された状態ではツイストバネの端部３８ｂは一方のガイド片３１ｃの端縁に当接するとともに、その外側へ突出して、フック片３３ａと係合可能な姿勢に保持される。
【００２７】
第１ワッシャ４５、第２ワッシャ４８、第１皿バネ４７、第２皿バネ４９、プレート５０は本願発明の摩擦制動機構を構成し、同機構によって第１回動軸部１８には所要の摩擦制動力が作用する。
【００２８】
なお、詳細は省略するが、第２回動軸部及び第３回動軸部にも摩擦制動機構によって所要の摩擦制動力が作用するように構成されている。
【００２９】
本実施例に係る資料提示装置１０の構造は以上の通りであって、装置１０を使用しないときは、図２に示すように第１支柱１２をストッパ片４６ｂが後側係止部３６ｃに当接するまで後方に回動操作する。ストッパ片４６ｂが後側係止部３６ｃに当接すると、第１支柱１２は基台１１の側面１１ａに沿って倒伏する折り畳み位置に停止する。また、第２支柱１３を第１支柱１２の側面に沿って倒伏する折り畳み位置まで回動操作する。さらに、第３支柱１４を第２支柱１３と平行に前方へ延伸させる。
【００３０】
資料撮像装置１０を使用して資料を撮像するには、基台１１を設置面に設置し、接続コードで図示略のモニターテレビ若しくはプロジェクタと基台１１を接続する。第１支柱１２を図２に示す折り畳み位置から、ストッパ片４６ｂが前側係止部３６ｂに当接するまで、前方へ回動させる。ストッパ片４６ｂが前側係止部３６ｂに当接すると、第１支柱１２は図１に示すように最も大きい角度で前傾する前傾端位置に停止する。第２支柱１３を第１支柱１２と平行に上方へ延伸する位置まで回動させる。また、第３支柱１４を基台１１の上面１１ａと略平行になる位置まで回動させる。第２支柱１３と第３支柱１４はいずれも摩擦制動力によって所定の回動位置に保持される。
また、必要に応じて第１支柱１２を図１に示す前傾端位置から後方へ回動させ、所望の前傾角度に設定する。その際、第１支柱１２は摩擦制動力によって所望の前傾角度位置に保持される。
【００３１】
本実施例に係る資料提示装置１０によれば、第１支柱１２を基台１１の後方へ回動させるとこにより基台１１の側面１１ｂに沿って倒伏させることができる。また、第２支柱１３及び第３支柱１４も基台１１の側面に沿って倒伏させることができるので、装置１０を使用しないときコンパクトに折り畳むことができる。
【００３２】
また、ツイストバネ３８とフック片３３ａで構成したパワーアシスト機構は第１支柱１２が直立位置より前傾しているとき第１支柱１２と作動連結される。このため、第１支柱１２の前傾回動領域では摩擦制動機構の摩擦制動力とパワーアシスト機構のバネ力および第１支柱１２に作用する重力が拮抗するように設定することによって、第１支柱１２を任意の前傾位置に保持でき、かつ第１支柱１２の回動操作を円滑に行うことができる。
【００３３】
一方、パワーアシスト機構は第１支柱１２が直立位置より後方へ傾斜しているとき第１支柱１２との作動連結が解除される。このため、第１支柱１２が後方傾斜する回動領域ではパワーアシスト機構のバネ力は第１支柱１２に作用しない。従って、第１支柱１２には摩擦制動力と重力が作用するだけなので、第１支柱１２が直立位置からパワーアシスト機構のバネ力で不意に後方へ急速回動することはない。また、第１支柱１２を倒伏位置から直立位置へと起立させるときバネ力に抗して回動操作する必要がないので、起立操作が円滑に行える。
【００３４】
クリックバネ３９とクリックボール４０から成るクリック機構を設け、第１支柱１２が直立位置にあるときクリックボール４０が嵌合孔３６ｄに嵌合するので、操作者は第１支柱１２を回動操作するとき直立位置を認識できる。従って、操作者はパワーアシスト機構の作動開始と作動終了を認識できるので、第１支柱１２の操作が容易になる。
【００３５】
なお、本実施例ではビデオカメラヘッド１５を第３支柱１４に取り付けたが第３支柱１４を省略して第２支柱１３にビデオカメラヘッド１５を取り付けたり、第２支柱１３と第３支柱１４を省略して第１支柱１２に直接ビデオカメラヘッド１５を取り付けることも可能である。
【符号の説明】
【００３６】
１０…資料提示装置
１１…基台
１１ａ…基台上面
１１ｂ…基台側面
１１ｃ…基台前面
１２…第１支柱
１３…第２支柱
１４…第３支柱
１５…ビデオカメラヘッド
１８…第１回動軸部
１９…軸受部
２０…第２回動軸部
２１…第３回動軸部
３０…支柱フレーム
３１…外側回動軸
３１ａ…ベースプレート
３１ｂ…外側軸芯
３１ｃ…ガイド片
３２…内側回動軸
３２ａ…大径軸部
３２ｂ…小径軸部
３２ｃ…筒穴
３３…外側ブラケット
３３ａ…フック片
３４…内側ブラケット
３５…外側軸受プレート
３５ａ…軸受穴
３６…内側軸受プレート
３６ａ…軸受穴
３６ｂ…前側係止部
３６ｃ…後側係止部
３６ｄ…嵌合孔
３８…ツイストバネ
４５，４８…ワッシャ
４６…ストッパリング
４６ａ…ストッパ片
４７，４９…皿バネ
５０…プレート
【図１】
2011234107.tif 000003
【図２】
2011234107.tif 000004
【図３】
2011234107.tif 000005
【図４】
2011234107.tif 000006
【図５】
2011234107.tif 000007